(57)【要約】【課題】貫通部材に代わるグロメット支持装置および送風装置を提供する。【解決手段】送風装置は、送風ケース２１と、グロメット３０と、グロメット支持装置４０とを有する。グロメット支持装置４０は、貫通部材としての配管に代わって、配管に装着可能なグロメット３０を支持する。グロメット支持装置４０は、グロメット３０を支持するグロメット支持部４１、４２と、送風ケース２１から延び出す腕部４３とを有する。グロメット支持装置４０は、連結部４４によって送風ケース２１に固定されている。送風ケース２１は、配管を固定するための配管座２６を有する。連結部４４は、配管座２６に連結されている。【選択図】図３
2019119236.tif 000002
【特許請求の範囲】
【請求項１】
壁（５）を貫通する貫通穴に配置される貫通部材に代わって、前記貫通部材に装着可能なグロメット（３０）を支持するグロメット支持部（４１、４２）、および、前記貫通穴に前記グロメット支持部を位置づける腕部（４３）を備えるグロメット支持装置。
【請求項２】
さらに、機器に連結された連結部（４４）を備え、
前記腕部は、前記グロメット支持部を前記貫通穴に位置づけるように、前記機器から前記連結部を経由して前記グロメット支持部へ延びている請求項１に記載のグロメット支持装置。
【請求項３】
前記壁は、乗り物の壁であり、
前記機器は、前記乗り物における空気を流す送風ケース（２１）であり、
前記貫通部材は、前記送風ケースに装着可能な熱交換器のための熱媒体を流すための配管（２６２、２６３）である請求項２に記載のグロメット支持装置。
【請求項４】
前記連結部は、前記送風ケースに前記配管を固定するために用意されている配管座（２６）に連結されている請求項３に記載のグロメット支持装置。
【請求項５】
前記グロメット支持部は、前記壁の厚さ範囲に留まる長さを有する請求項１から請求項４のいずれかに記載のグロメット支持装置。
【請求項６】
前記グロメット支持部は、筒状である請求項１から請求項５のいずれかに記載のグロメット支持装置。
【請求項７】
乗り物における空気を流す送風ケースであって、空気の温度を調節する熱交換器を収容するために用意されている不使用部（２４）を有している送風ケース（２１）と、
前記乗り物の壁（５）を貫通する貫通穴に配置されるグロメット（３０）と、
前記熱交換器（２６１）のための熱媒体を流すための配管（２６２、２６３）に代わって、前記グロメットを支持するグロメット支持部（４１、４２）、および前記貫通穴に前記グロメット支持部を位置づける腕部（４３）を有するグロメット支持装置とを備える送風装置。
【請求項８】
さらに、前記送風ケースに連結された連結部（４４）を備え、
前記腕部は、前記グロメット支持部を前記貫通穴に位置づけるように、前記送風ケースから前記連結部を経由して前記グロメット支持部へ延びている請求項７に記載の送風装置。
【請求項９】
前記連結部は、前記送風ケースに前記配管を固定するために用意されている配管座（２６）に連結されている請求項８に記載の送風装置。
【請求項１０】
前記グロメット支持部、前記腕部、および前記連結部を含むグロメット支持装置は、前記連結部によって前記送風ケースに固定されており、
前記グロメットは、前記送風ケースが規定の位置に装着されることにより、前記グロメットが前記貫通穴を覆うように位置付けられるように、前記グロメット支持部に対して装着されている請求項８または請求項９に記載の送風装置。
【発明の詳細な説明】
【技術分野】
【０００１】
この明細書における開示は、グロメット支持装置および送風装置に関する。
【背景技術】
【０００２】
特許文献１は、乗り物の２つの部屋の間の仕切りを貫通するワイヤハーネスなどの貫通部材を開示する。さらに、特許文献１は、貫通部材に装着されたグロメット、および遮音構造を開示している。従来技術として列挙された先行技術文献の記載内容は、この明細書における技術的要素の説明として、参照により援用される。
【先行技術文献】
【特許文献】
【０００３】
【特許文献１】特許第５５３３３６８号公報
【発明の概要】
【発明が解決しようとする課題】
【０００４】
従来技術の構成では、貫通部材に、グロメットが装着されている。これでは、貫通部材を備えない場合には、グロメットが適切に保持されない。貫通部材を備えない場合には、専用のグロメット、および遮音構造を設ける必要がある。上述の観点において、または言及されていない他の観点において、グロメットを利用する構造にはさらなる改良が求められている。
【０００５】
開示されるひとつの目的は、貫通部材を備えない場合でも、グロメットを利用可能なグロメット支持装置および送風装置を提供することである。
【０００６】
開示される他のひとつの目的は、乗り物用換気装置の配管を備えない場合でも、配管に代わってグロメットを支持するグロメット支持装置および送風装置を提供することである。
【課題を解決するための手段】
【０００７】
ここに開示されたグロメット支持装置は、壁（５）を貫通する貫通穴に配置される貫通部材に代わって、貫通部材に装着可能なグロメット（３０）を支持するグロメット支持部（４１、４２）、および、貫通穴にグロメット支持部を位置づける腕部（４３）を備える。
【０００８】
開示されるグロメット支持装置によると、壁を貫通する貫通穴に配置される貫通部材に代わって、グロメット支持部がグロメットを支持する。このため、貫通部材を備える仕様においても、貫通部材を備えない仕様においても、両方において同じ形状のグロメットを利用可能である。
【０００９】
ここに開示された送風装置は、乗り物における空気を流す送風ケースであって、空気の温度を調節する熱交換器を収容するために用意されている不使用部（２４）を有している送風ケース（２１）と、乗り物の壁（５）を貫通する貫通穴に配置されるグロメット（３０）と、熱交換器（２６１）のための熱媒体を流すための配管（２６２、２６３）に代わって、グロメットを支持するグロメット支持部（４１、４２）、および、貫通穴にグロメット支持部を位置づける腕部（４３）を有するグロメット支持装置とを備える。
【００１０】
開示される送風装置によると、壁を貫通する貫通穴に配置される配管に代わって、グロメット支持部がグロメットを支持する。このため、配管を備える仕様においても、配管を備えない仕様においても、両方において同じ形状のグロメットを利用可能である。
【００１１】
この明細書における開示された複数の態様は、それぞれの目的を達成するために、互いに異なる技術的手段を採用する。請求の範囲およびこの項に記載した括弧内の符号は、後述する実施形態の部分との対応関係を例示的に示すものであって、技術的範囲を限定することを意図するものではない。この明細書に開示される目的、特徴、および効果は、後続の詳細な説明、および添付の図面を参照することによってより明確になる。
【図面の簡単な説明】
【００１２】
【図１】第１実施形態に係る送風装置のブロック図である。
【図２】送風ケースを示す側面図である。
【図３】グロメット支持装置を示す斜視図である。
【図４】グロメット支持装置を示す正面図である。
【図５】グロメット支持装置を示す右側面図である。
【図６】グロメット支持装置を示す平面図である。
【図７】グロメットを示す断面図である。
【図８】グロメットの支持状態を示す断面図である。
【図９】グロメットと壁との関係を示す断面図である。
【図１０】熱交換器付送風ケースを示す側面図である。
【発明を実施するための形態】
【００１３】
図面を参照しながら、複数の実施形態を説明する。複数の実施形態において、機能的におよび／または構造的に対応する部分および／または関連付けられる部分には同一の参照符号、または百以上の位が異なる参照符号が付される場合がある。対応する部分および／または関連付けられる部分については、他の実施形態の説明を参照することができる。
【００１４】
第１実施形態
図１は、乗り物の一例としての車両１の透視図を示す。乗り物の語は、車両、航空機、船舶などの移動体、およびアミューズメント機器など固定物を含む。車両１の車室２は、人が乗ることを予定している。以下の説明において、複数の部品の関係は、相対的に前方ＦＷ、後方ＲＶ、右方ＲＴ、左方ＬＴ、上方ＵＰ、および下方ＤＷにて説明されている。また、車両１は図示される右ハンドルに限られず、左ハンドルでも中央ハンドルでもよい。車室２には、内装部品３が配置されている。内装部品３は、車両１の運転席および助手席の前方ＦＷに配置されたパネルを含む。内装部品３は、機器としての送風装置４を含む多くの部品を覆っている。
【００１５】
車両用の送風装置４は、最小の機能として車室２に送風する送風機能を有する。送風装置４は、オプションの機能として、車室２の空気を換気する換気機能と、車室２の温度を調節する温度調節機能とを備えることができる。送風装置４は、車室２を暖房する暖房機能、および／または車室２を冷房する冷房機能を備えることができる。
【００１６】
送風装置４は、例えば、温暖な地域では、車室２を暖房する暖房機能なしで、車室２を冷房する冷房機能だけを備えることができる。逆に、寒冷な地域では、車室２を冷房する冷房機能なしで、車室２を暖房する暖房機能だけを備えることができる。図示される実施形態では、車室２を暖房する暖房機能なしで、車室２を冷房する冷房機能だけを備える。よって、例えば、送風装置４は、暖房用の熱交換器、および熱交換器に熱媒体を流すための配管を備えない。しかも、送風装置４は、暖房用の熱交換器、および配管を装着することができる空洞、および構造を予備的に有している。このような暖房機能を備えない送風装置４は、温暖な地域において、低廉な乗り物、または商業用の乗り物に利用可能である。
【００１７】
送風装置４は、送風機ユニット１０および温度調節ユニット２０を含む。送風機ユニット１０は、モデル化された円柱体として図示されている。温度調節ユニット２０は、モデル化された直方体として図示されている。
【００１８】
送風装置４は、車両１に固定されている。送風装置４は、少なくとも送風機ユニット１０と、温度調節ユニット２０とを有する。送風機ユニット１０、および温度調節ユニット２０は、車両１の車室２を区画する壁５に隣接して配置されている。壁５は、壁５を貫通する貫通穴を有する。貫通穴は、壁５を貫通して延びる貫通部材を配置するために利用される。
【００１９】
図２は、送風機ユニット１０を取り除いた状態の温度調節ユニット２０を示している。温度調節ユニット２０は、空気通路を区画形成する送風ケース２１を有する。送風ケース２１は、複数の部材を組み合わせることによって内部に通路としての空洞を有している。送風ケース２１は、樹脂製である。送風ケース２１は、車両１における空気を流す。図中には、送風機ユニット１０から空気を受け入れる入口２２が開口している。なお、送風ケース２１の複数のリブなどの細部は図示されていない。
【００２０】
温度調節ユニット２０は、入口２２から供給された空気の温度を調節する。温度調節ユニット２０は、冷房用の熱交換器２３を有する。温度調節ユニット２０は、冷房用の熱交換器２３によって、いわゆる冷房を提供する。温度調節ユニット２０は、冷房用の熱交換器２３のための媒体を流すための冷房配管を有する。冷房配管は、温度調節ユニット２０の背後に配置されている。冷房配管は、図示されていない。
【００２１】
温度調節ユニット２０は、暖房を提供しない。温度調節ユニット２０は、暖房用の熱交換器を備えない。温度調節ユニット２０は、暖房用の熱交換器を配置するために用意された不使用部２４を有する。送風ケース２１は、空気の温度を調節する熱交換器を収容するために用意されている不使用部２４を有している。不使用部２４は、空洞である。ただし、この実施形態では、暖房用の熱交換器に代えて、蓋２５が不使用部２４に配置されている。蓋２５は、不使用部２４を覆い、暖房用の熱交換器に代わる通路を送風ケース２１の中に形成する。温度調節ユニット２０は、暖房用の熱交換器のための媒体を流すための暖房配管を備えない。
【００２２】
送風装置４は、グロメット３０を有する。グロメット３０は、乗り物の壁５を貫通する貫通穴に配置される。グロメット３０は、傘状である。グロメット３０は、ゴム製である。グロメット３０は、壁５で仕切られた２つの部屋の間における、例えば、防音、防振、防水、防風などを提供する。
【００２３】
送風装置４は、グロメット支持装置４０を有する。グロメット支持装置４０は、グロメット３０を支持する部材である。グロメット支持装置４０は、グロメット３０を壁５の貫通穴に設置するように支持する。グロメット支持装置４０は、グロメット３０が貫通穴においてグロメット３０としての機能を発揮するように支持する。ここでは、グロメット支持装置４０は、グロメット３０が貫通部材である配管で支持された場合にグロメット３０が発揮する機能と変わらない機能を発揮させる。グロメット支持装置４０は、送風ケース２１に固定されている。グロメット支持装置４０は、樹脂製である。なお、グロメット支持装置４０は、軽量化のために多くの肉抜き部などを備えることができる。図中には、肉抜き部を除く外形が図示されている。
【００２４】
グロメット支持装置４０は、グロメット支持部４１、４２を有する。グロメット支持部４１、４２は、熱交換器のための熱媒体を流すための配管に代わって、グロメット３０を支持する。グロメット支持部４１、４２は、筒状である。グロメット支持部４１、４２は、配管に代替することができるダミー配管とも呼ばれる。グロメット支持部４１、４２は、配管の端部に代わることができる筒状の部材である。グロメット支持部４１と、グロメット支持部４２は、２本の筒状部材である。グロメット支持部４１と、グロメット支持部４２は、図中において重複して配置されている。グロメット３０は、グロメット支持部４１、４２に装着されることによって支持されている。
【００２５】
グロメット支持装置４０は、腕部４３を有する。腕部４３は、貫通穴にグロメット支持部４１、４２を位置づける。腕部４３は、送風ケース２１から延び出す部材である。腕部４３は、もはや筒状である必要はない。腕部４３は、複数の肉抜き部を有するブラケット状である。言い換えると、腕部４３は、複数のリブを有するブラケット状である。腕部４３は、延在方向に関して配管に代わる部材でもある。
【００２６】
グロメット支持装置４０は、連結部４４を有する。連結部４４は、送風ケース２１に連結されている。連結部４４は、多様な手法によって送風ケース２１に連結することができる。連結部４４は、樹脂の弾性を利用するスナップフィットによって送風ケース２１に連結されている。スナップフィットは、ブラケット状に配置された一対の係合片４５、４６によって提供されている。さらに、連結部４４は、スクリュー５１によって送風ケース２１に連結されている。連結部４４を送風ケース２１に連結する連結部材は、スナップフィット、および／またはスクリュー５１のような締結部材によって提供することができる。
【００２７】
送風ケース２１は、連結部４４が連結されるための固定台２６を有する。固定台２６は、熱交換器のための熱媒体を流すための配管があったなら、その配管が固定される配管座を提供する。連結部４４は、送風ケース２１に配管を固定するために用意されている配管座（固定台２６）に連結されている。
【００２８】
さらに、グロメット支持装置４０は、ステー４７を有する。ステー４７は、グロメット支持部４１、４２と、連結部４４との間に配置されている。ステー４７は、グロメット支持装置４０を送風ケース２１に連結するための補助的な連結部を提供する。ステー４７は、腕部４３から突出して配置されている。ステー４７は、スクリュー５２によって固定されている。
【００２９】
送風ケース２１は、ステー４７が連結されるための補助的な固定台２７を有する。固定台２７は、熱交換器のための熱媒体を流すための配管があったなら、その配管を支持するための部材が固定される固定座を提供する。ステー４７は、送風ケース２１に配管を固定するために用意されている固定台２７に連結されている。固定台２７は、例えば、配管とともに、グロメット３０を支持する部材３５を固定するために利用される。この実施形態においても、グロメット３０を少なくとも部分的に支持する部材３５は、固定台２７に直接的、または間接的に固定されている。
【００３０】
図３は、グロメット３０およびグロメット支持装置４０を示す斜視図である。送風ケース２１は、破線によって示されている。グロメット支持装置４０は、２つのグロメット支持部４１、４２に、グロメット３０を固定している。腕部４３は、グロメット支持部４１、４２と、連結部４４との間に延在している。連結部４４は、係合片４５、４６、およびスクリュー５１によって固定台２６に固定されている。図中には、スクリュー５１のための貫通穴４４ａが図示されている。ステー４７は、スクリュー５２によって固定台２７に固定されている。図中には、スクリュー５２のための貫通穴４７ａが図示されている。スクリュー５１、５２は、タッピングスクリューによって提供することができる。
【００３１】
このように、グロメット支持部４１、４２、腕部４３、および連結部４４を含むグロメット支持装置４０は、連結部４４によって送風ケース２１に固定されている。グロメット支持装置４０が送風ケース２１に固定されることによって、腕部４３は、グロメット支持部４１、４２を貫通穴に位置づけるように、送風ケース２１から連結部４４を経由してグロメット支持部４１、４２へ延びている。この結果、配管に代えて、グロメット支持部４１、４２が突出するように配置される。さらに、グロメット３０は、送風ケース２１が規定の位置に装着されることにより、グロメット支持装置４０によって規定の位置に位置付けられる。このとき、グロメット３０が貫通穴を覆うように位置付けられる。グロメット３０は、このような位置に位置付けられるように、グロメット支持部４１、４２に対して装着されている。
【００３２】
図４は、図３における矢印ＩＶ方向に見た正面図である。図５は、図４における矢印Ｖ方向に見た右側面図である。図６は、図４における矢印ＶＩ方向に見た平面図である。グロメット支持部４１、４２は、隔壁によって閉塞している筒状の部材である。グロメット支持装置４０を備えることにより、貫通部材である配管がなくても、グロメット３０を利用することができる。
【００３３】
図７は、グロメット３０の一例を示す断面図である。グロメット３０は、傘状の環状リップ部分３１を有する。環状リップ部分３１は、室内から壁５に押し付けられて、壁５に密着する。さらに、グロメット３０は、隔壁３２を有する。環状リップ部分３１は、隔壁３２の全周の縁を囲んでいる。さらに、グロメット３０は、貫通部材を配置するための貫通リップ３３、３４を有する。貫通リップ３３、３４は、隔壁３２の中に島状に突出して形成されている。ひとつの貫通リップ３３は、貫通部材としての配管を配置することがある。ひとつの貫通リップ３４は、貫通部材としての配管を配置することがある。この実施形態では、ひとつの貫通リップ３３は、グロメット支持部４１を配置する。ひとつの貫通リップ３４は、グロメット支持部４２を配置する。
【００３４】
図８は、グロメット３０に配置されたグロメット支持部４１、４２を示す。グロメット３０は、グロメット支持部４１、４２によって、規定の位置に支持される。２つのグロメット支持部４１、４２は、グロメット３０を安定的に支持するために貢献する。
【００３５】
図９は、壁５とグロメット３０との関係を示している。乗り物の壁である壁５は、壁５を貫通する貫通穴６を有している。壁５は、車両１の鋼板の一部である隔壁５ａを有する。隔壁５ａは、例えば、エンジンルームと乗員室とを区画する壁である。壁５は、室内側に配置されたダッシュサイレンサ５ｂを有する。ダッシュサイレンサ５ｂは、カーペット、トリム、ライニングなどとも呼ばれる。ダッシュサイレンサ５ｂは、繊維、ゴム、または樹脂によって提供される。壁５は、アウタサイレンサ５ｃを有する。アウタサイレンサ５ｃは、繊維、ゴム、または樹脂によって提供される。アウタサイレンサ５ｃは、ゴム製のブーツ、またはグロメットと呼ばれる部品によって提供されてもよい。
【００３６】
グロメット支持部４１、４２は、壁５の厚さ範囲に留まる長さを有する。グロメット支持部４１、４２は、壁５を貫通していてもよい。この場合、アウタサイレンサ５ｃは、グロメット支持部４１、４２を貫通させる開口を有することができる。また、アウタサイレンサ５ｃは、グロメット支持部４１、４２を受け入れるアウタブッシュを備えていてもよい。この場合、アウタブッシュは、熱交換器のための熱媒体を流すための配管にも装着可能なブッシュである。これにより、アウタブッシュも配管に利用である。
【００３７】
図１０は、機器としての送風装置４が、貫通部材を有する場合を示している。壁５を貫通する貫通穴６に配置される貫通部材の一例である。具体的には、暖房機能を有する温度調節ユニット２０を示す。この温度調節ユニット２０は、車両１とは異なる他の車両に搭載される。
【００３８】
送風ケース２１は、暖房用の熱交換器２６１を備える。さらに、送風ケース２１は、熱交換器２６１のための熱媒体を流すための配管２６２、２６３を有する。配管２６２、２６３は、室内を暖房することができる比較的高温の水、または不凍液を流すための配管である。配管２６２、２６３は、送風ケース２１に固定されている。配管２６２、２６３は、送風ケース２１に設けられている配管座としての固定台２６に位置付けられている。配管２６２、２６３は、配管座と、ブラケット２２８との間に配置されている。配管２６２、２６３は、配管座と、ブラケット２２８との間に挟持されている。
【００３９】
配管２６２、２６３は、端部にグロメット３０を有する。グロメット３０は、規定の位置に支持されている。グロメット３０の位置は、グロメット支持装置４０を用いる図２に図示される場合と、貫通部材としての配管２６２、２６３を用いる図１０に図示される場合とで同じである。
【００４０】
この実施形態によると、壁５を貫通する貫通穴６に配置される貫通部材しての配管２６２、２６３に代わって、グロメット支持装置４０によって、グロメット３０を支持することができる。このため、貫通部材、すなわち配管２６２、２６３を備えない場合にも、グロメット３０を利用可能である。よって、貫通部材を備えない場合でも、グロメット３０による効果、例えば、防音、防振、防水、防風などの効果を得ることができる。さらに、貫通部材を備える場合と、貫通部材を備えない場合とで、同じグロメット３０を利用することができる。よって、貫通部材、例えば、配管２６２、２６３を備える仕様の機器と、貫通部材を備えないでグロメット支持装置４０を備える仕様の機器とを提供できる。なお、２つの仕様の機器は、同時期に２つの仕様が提供されてもよいし、ひとつの仕様から他方の仕様に変更されてもよいし、ひとつの仕様だけが提供されてもよい。
【００４１】
また、グロメット支持装置４０は、機器としての送風装置４に連結されており、グロメット支持部４１、４２を貫通穴６に位置づけるように、機器から連結部４４を経由してグロメット支持部４１、４２へ延びている。よって、機器を介してグロメット３０が位置決めされる。また、グロメット支持装置４０は、機器である送風装置４の送風ケース２１に連結され、固定されるから、グロメット支持部４１、４２、およびグロメット３０の位置を安定的に維持することができる。また、貫通部材として、送風ケース２１に装着可能な熱交換器２６１のための熱媒体を流すための配管２６２、２６３を利用する。このため、配管２６２、２６３がない場合でも、配管２６２、２６３がある場合でも、両方においてグロメット３０の作用効果が得られる。
【００４２】
さらに、グロメット支持装置４０は、連結部４４によって送風ケース２１に配管２６２、２６３を固定するために用意されている配管座２６に連結されている。よって、配管２６２、２６３を備える場合と、配管２６２、２６３を備えないでグロメット支持装置４０を備える場合とで、共通の形状の送風ケース２１に設けられた配管座２６を利用することができる。
【００４３】
グロメット支持部４１、４２は、壁５の厚さ範囲に留まる長さを有することができる。この場合、反対側への突出を避けて、壁５の反対側における変更を抑制することができる。また、グロメット支持部４１、４２は、配管２６２、２６３に似た筒状とすることができる。この場合、配管２６２、２６３に似た性質を期待することができる。
【００４４】
他の実施形態
この明細書および図面等における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、請求の範囲の記載によって示され、さらに請求の範囲の記載と均等の意味及び範囲内での全ての変更を含むものと解されるべきである。
【００４５】
上記実施形態では、機器として送風装置を備える。これに代えて、機器は、空気または水をはじめとする流体的な機器、電気的な機器などでもよい。機器は、物品の温度を調節する冷却ボックス、および／または加熱ボックスでもよい。この場合、冷却ボックス、および／または加熱ボックスが備える熱交換器のための配管が貫通部材を提供する。また、機器は、水が溜められた水槽でもよい。この場合、水槽を循環する水のための配管、または水槽に供給されるガスのための配管が貫通部材を提供する。
【００４６】
上記実施形態では、貫通部材として配管が用いられている。これに代えて、貫通部材は、壁５を貫通する貫通穴６に配置される電線を含むワイヤハーネスでもよい。例えば、熱交換器が電気ヒータである場合、熱交換器を加熱するための電力を導入するワイヤハーネスが貫通部材とされる。グロメット支持装置４０は、ワイヤハーネスに代わってグロメット３０を支持する。
【００４７】
上記実施形態では、グロメット支持部４１、４２は２つの模擬的な配管を提供している。これに代えて、単一またはさらに多くの模擬的な配管が提供されてもよい。
【符号の説明】
【００４８】
１  車両、  ２  車室、  ３  内装部品、  ４  送風装置、
５  壁、  ５ａ  隔壁、  ５ｂ  ダッシュサイレンサ、
５ｃ  アウタサイレンサ、  ６  貫通穴、
１０  送風ユニット、  ２０  温度調節ユニット、
２１  送風ケース、  ２２  入口、
２３  冷房用の熱交換器、  ２４  不使用部、  ２５  蓋、
２６  固定台（配管座）、  ２７  固定台、
３０  グロメット、  環状リップ部分、  ３２  隔壁、
３３  貫通リップ、  ３４  貫通リップ、
４０  グロメット支持装置、  ４１  グロメット支持部、
４２  グロメット支持部、  ４３  腕部、  ４４  連結部、
４５  係合片、  ４６  係合片、  ４７  ステー、
５１  スクリュー、５２  スクリュー、
２２８  ブラケット、  ２６１  暖房用の熱交換器、
２６２  配管（貫通部材）、  ２６３  配管（貫通部材）。
【図１】
2019119236.tif 000003
【図２】
2019119236.tif 000004
【図３】
2019119236.tif 000005
【図４】
2019119236.tif 000006
【図５】
2019119236.tif 000007
【図６】
2019119236.tif 000008
【図７】
2019119236.tif 000009
【図８】
2019119236.tif 000010
【図９】
2019119236.tif 000011
【図１０】
2019119236.tif 000012